(57)【特許請求の範囲】
【請求項１】
フレームの一側にコンクリート層を切削するブレードが配設され、フレーム上に前記ブレードを駆動するエンジン、水タンク及び汚水を吸引する吸引装置が設置され、前記ブレードの近傍には前記水タンクに接続された給水管及び前記吸引装置に接続された吸引管の先端が開口したコンクリートカッターにおいて、
前記吸引装置は下端に開口部を有するケーシングを備え、前記吸引装置の下方に汚水タンクが配設され、この汚水タンクは上端に開口部を有し、前記吸引装置と前記汚水タンクとは上下に離接可能に重ねられ、
運転時には前記吸引装置と前記汚水タンクとが前記両開口部を介して直接気密に接続され、
汚水処理時には前記吸引装置と前記汚水タンクとの間にクリアランスが生じて前記汚水タンクを引き出せるようにし、
前記吸引装置はバッテリー駆動とした、
コンクリートカッター。
【請求項２】
汚水の吸引部はブレードを覆うブレードケースの底面に吸引スリットを設けた構成とし、この吸引スリットは、開口部が幅狭で上方を幅広とした、
請求項１記載のコンクリートカッター。
【請求項３】
ブレードケースの吸引スリット近傍は着脱可能な部材とした、
請求項２記載のコンクリートカッター。
【請求項４】
給水管には定流量弁が装着された、
請求項１ないし３のいずれかに記載のコンクリートカッター。
【発明の詳細な説明】
【技術分野】
【０００１】
この発明は、水を供給しつつコンクリートやアスファルトを切削する湿式のコンクリートカッターであって、汚水の回収装置を備えたものに関するものである。
【背景技術】
【０００２】
従来、湿式のコンクリートカッターにおいて、切削によって発生する汚水は回収せず、垂れ流しの状態としていた。しかしながら、近年では工事現場の環境改善のために、汚水の回収が求められる場合が増加している。
大型のコンクリートカッター（エンジン等の駆動源からの動力を用いて走行するもの）においては、フレームに汚水を吸引する吸引装置を設置し、吸引装置で吸引した汚水を、脇を走行する別の車両に備えた汚水タンクに貯蔵する方式のものが提案され、使用されている。しかしながら、小型のコンクリートカッター（駆動源を使用せずに手押し式や手動でギヤ等を操作して走行するもの）においては、汚水を吸引する装置を備えたものは実用化されておらず、小型のコンクリートカッターで足りる小規模な工事においても、大型のコンクリートカッターを使用しなければならない事態も生じている。
【０００３】
小型のコンクリートカッターにおいて汚水回収装置を備えたものが実用化していない要因には以下のものがある。
１．切削用のブレードを回転させるためのエンジンの駆動力を吸引装置の駆動力としても利用しようとすると、大きなエンジンを搭載することのできない小型のコンクリートカッターではエンジンの力が足りないこと。そして、個別のエンジンを用意すると大型化してしまう。
２．小型のコンクリートカッターを使用する小規模な工事現場では、コンクリートカッターの脇を別の車を走らせることは非効率であり、汚水タンクも同じフレームに設置することが要求される。しかしながら、両者を横に並べるとフレームの長さが長くなるなどの問題がある。
【特許文献１】特開平８−１６５５号公報
【特許文献２】特開平８−１６５８号公報
【０００４】
上記２件の特許文献には、汚水吸引装置を備えたコンクリートカッターが開示されているが、吸引ブロアの駆動力は切削カッターの駆動力と共通のエンジンであり、また回収された汚水は濾過した後に清水として外部に排出されるか、別途の回収タンクに貯留回収されるものである。
【発明の開示】
【発明が解決しようとする課題】
【０００５】
この発明は、切削用のブレードと吸引装置とに個別の駆動源を用意し、かつ汚水タンクと吸引装置とを上下に重ねつつも、フレームの長さや上下寸法の増大を可及的に小さくとどめ、実用性のある、汚水吸引装置付きの小型のコンクリートカッターを得ることを課題とするものである。
【課題を解決するための手段】
【０００６】
この発明のコンクリートカッターは、フレームの一側にコンクリート層を切削するブレードが配設され、フレーム上に前記ブレードを駆動するエンジン、水タンク及び汚水を吸引する吸引装置が設置され、前記ブレードの近傍には前記水タンクに接続された給水管及び前記吸引装置に接続された吸引管の先端が開口したコンクリートカッターにおいて、前記吸引装置は下端に開口部を有するケーシングを備えた構成とし、前記吸引装置の下方に汚水タンクを配設し、この汚水タンクは上端に開口部を有する構成とし、前記吸引装置と前記汚水タンクとを上下に離接可能に重ね、運転時には前記吸引装置と前記汚水タンクとを前記両開口部を介して直接気密に接続し、汚水処理時には前記吸引装置と前記汚水タンクとの間にクリアランスが生じて前記汚水タンクを引き出せるようにし、前記吸引装置はバッテリー駆動とすることにより、課題を解決するものである。
【０００７】
前記吸引装置と汚水タンクとは離接可能に設置し、運転時においては前記両者は直接気密に接続され、汚水処理時には両者の間にクリアランスが生じて汚水タンクを引き出せるようにすることにより、上下寸法をいっそう低く抑えることができる。
離接可能に設置する手段としては、実施例に示すように吸引装置を昇降させるか、又は汚水タンクを昇降させるようにする。そのための構造としては、リンク機構の他、油圧シリンダーで昇降させるなどの手段も考えられる。
【０００８】
汚水の吸引部はブレードを覆うブレードケースの底面に吸引スリットを設けた構成とし、この吸引スリットは、開口部を幅狭として上方を幅広とすることにより、砂塵が吸引部の擱くに入り込むことによる吸引部の目詰まりを回避することができる（請求項２）。
【０００９】
ブレードケースの吸引スリット近傍は着脱可能な独立した部材とすることにより、吸引部に目詰まりが生じた際には、部材を外して詰まった砂塵を除去することができる（請求項３）。
【００１０】
給水管には定流量弁を装着することにより、給水タンクの水の量の多寡にかかわらず、給水量を一定に維持することができる（請求項４）。
【発明の効果】
【００１１】
この発明において、汚水タンクの上部に設けた開口部と汚水タンクの上方に配設された吸引装置の開口部とを直接気密に接続したので、吸引装置と汚水タンクとを効率よく上下に重ねて設置することができ、コンクリートカッターの長さおよび高さを抑えることができる。しかも両者をつなぐ配管は不要であり、配管スペースも削減できる。
また、吸引装置の駆動力として、ブレードの駆動力であるエンジンではなく別にバッテリーを用意したので、エンジンへの負担を低減できると共に、バッテリーであるから設置スペースも小さくて足りる。
【発明を実施するための好適な形態】
【００１２】
以下、この発明の実施例を説明する。
【図面の簡単な説明】
【００１３】
【図１】実施例の正面図
【図２】実施例の右側面図
【図３】吸引装置と汚水タンクの取り付け構造を示す図（吸引装置の下降時）
【図４】吸引装置と汚水タンクの取り付け構造を示す図（吸引装置の上昇時）
【図５】吸引装置の汚水タンクへの嵌装状態を示す断面図
【図６】ブレードケースの底面図
【図７】図６中Ａ−Ａ部分の一部拡大断面図
【図８】図６中Ｂ−Ｂ部分の拡大断面図
【図９】ブレードケースの短辺スリット部分の拡大断面図
【実施例】
【００１４】
図１において、フレーム１の前部に給水タンク２，ブレード駆動用のエンジン３が順次配設してあり、エンジン３にブレード４が接続してあり、ブレード４はブレードケース５でカバーされている。前記給水タンク２の下端に給水管６の基端が接続してあり、その先端は前記ブレードケース５内に開口している。そして、給水管６にはニードル型定流量弁７が介在させてある。
前記フレーム１の後部には汚水タンク８が配設してあり、汚水タンク８の上方に吸引装置９が重ねて配設してある。
【００１５】
前記吸引装置９は、ブレード近傍の汚水を吸引し、汚水を汚水タンク８に供給するものであり、円筒状のケーシング９ａと、吸引ブロア９ｂ、汚水受け筒９ｃ、排出口９ｄを備えている。前記汚水受け筒９ｃの下端部はケーシング９ａの下端から突出しており、前記排出口９ｄは汚水受け筒９ｃの下端に設けてある。そして、その駆動源はエンジンではなくバッテリーとしてある。符号９ｅは、汚水が吸引ブロア側へ移動することを阻止するための遮蔽部材である。
吸引装置９の汚水受け筒９ｃには吸引管１０の基端が接続してあり、その先端は前記ブレードケース５内に開口している。
【００１６】
前記汚水タンク８は有底円筒状の本体８ａの上端開口部８ｂに内鍔８ｃを形成した態様であって、前記内鍔８ｃの内周縁は前記吸引装置９のケーシング９ａと気密に接続される大きさとしてある。前記開口部８ｂの内側はロート状部８ｄとなっている。
図中符号２１は運転用のハンドルである。
【００１７】
以下、汚水タンク８と吸引装置９の取り付け構造を説明する。
図２ないし図４に示すように、汚水タンク８はフレーム１の端部に載置されており、フレーム１の端から出し入れ可能としてある。フレーム１の両側壁１ａの内側にリンク機構１１が取り付けてあり、このリンク機構１１に吸引装置９が取り付けてある。
【００１８】
前記リンク機構１１は、フレーム１の側壁１ａに取り付けられた支柱１１ａと、この支柱に取り付けられた第一アーム１１ｂ、第一アームに取り付けられた第二アーム１１ｃと、前記支柱１１ａに取り付けられた昇降部１１ｄ、昇降部１１ｄに取り付けられた受け板１１ｅで構成してあり、前記第二アーム１１ｃの先端が受け板１１ｅに連結してある。そして、操作竿１２の中間部が前記支柱１１ａに回動可能に取り付けてあり、その先端が前記第一アーム１１ｂに回動可能に取り付けてあり、操作竿１２の基部を上下させることによって、前記昇降部１１ｄが昇降するようにしてある。
前記昇降部１１ｄの上端部に、アダプター１３が取り付けてあり、このアダプター１３が前記吸引装置９のケーシング９ａの両側に固定してある。
【００１９】
このリンク機構１１による吸引装置９の昇降範囲は、下降時においては図３、図５に示すように吸引装置９のケーシング９ａの周壁が汚水タンク８の上端開口部８ｂの周縁に気密となるように密着し、上昇時には図４に示すように、吸引装置９の下端と汚水タンク８の上端との間にクリアランスが生じるようにする。
【００２０】
汚水の吸引を行うためには吸引装置９と汚水タンク８との間は気密に連結されていなければならない。そのためには吸引装置９のケーシング９ａの周壁は汚水吸引時には汚水タンク８の開口部８ｂの周縁と気密に接続されなければならない。そこで、下降時には前記吸引装置９のケーシング９ａは前記汚水タンク８の内鍔８ｃの内周縁と気密に接続されるようにする。
ところで、吸引装置９の排出口９ｄは突出部９ｅの下端に設けてあるので、突出部９ｅは汚水タンク９内に嵌まっている。そのためにこの状態では汚水タンク８をフレーム１から引き出すことができない。
【００２１】
この問題を解決する手段が、吸引装置９を昇降させる手段としてのリンク機構１１である。上昇時に吸引装置９の下端と汚水タンク８の上端との間にクリアランスが生じるようにすることにより、汚水タンク８をフレームから引き出すことができる。なお、汚水受け筒９ｃが突出していない吸引装置においても、吸引装置と汚水タンクとは気密に接続してあるので、吸引装置を上昇させずに汚水タンクを引き出すことは困難である。
【００２２】
次に、ブレードケースの構造について説明する。
図６はブレードケースの底面図であって、左側はブラシを除去した状態で示してある。
ブレードケース５の下部は全周に亘り内壁５ａと外壁５ｂとの二重壁としてあり、内外壁で囲われた部分が吸引室５ｃとなり、下端部が吸引スリット１４となっている。前記ブレードケース５の左右両端部には気密に閉塞されたパイプ受け室１５が設けてあり、このパイプ受け室１５の天板に吸引管１０の先端が接続してある。
【００２３】
前記パイプ受け室１５のブレードケース５を形成する内壁５ａには、前記スリット１４と連通する穴１６、１７が設けてあり、ブレードケース５の長辺側における穴１７は逆三角形としてある。
また、外壁５ｂの外側に、吸引部の気密性を高めるためのブラシ１８が取り付けてある。
【００２４】
この実施例において、吸引装置９を下降させた状態で吸引ブロア９ｂを起動すると、ブレード近傍の汚水はスリット１４、穴１６，１７を経てパイプ受け室１５に至り、吸引管１０から吸引装置９の汚水受け筒９ｃに流入し、その開口部から汚水タンク８に流下して貯留される。
【００２５】
前記内外壁５ａ、５ｂの間隔は、下端部において狭く、上方は広くしてある。すなわち、ブレードケース５の短辺（両端部）においては、スリット部分に凸条５ｆが設けてあり、長辺においては内壁５ａがテーパー面としてある。これによって、汚水に含まれる比較的大きな粉塵が幅の狭い下端部を通過できず、吸引室５ｃに入り込むことを阻止できる。スリット１４の開口部に粉塵がとどまれば、これを除去することは容易である。
【００２６】
前記外壁５ｂは、ブレードケース５の短辺部分（図７参照）において、ブレードケース５とは別の外壁部材５ｄとして構成してある。この外壁部材５ｄは内壁５ａにねじ１９で取り付けてあり、ねじ１９を操作することで外壁部材５ｄを取り外すことができる。この作業により、吸引室５ｃに入り込んだ粉塵を容易にを除去することができる。
【００２７】
この実施例において、給水管６にはニードル型定流量弁７が介在させてある。従来においては給水タンクの水量により給水管からブレード近傍に供給される水の量が変動していたが、定水量弁を介在させることにより、給水タンクの水量にかかわらず、一定量の水を供給することができる。
【００２８】
この実施例において、吸引装置９を汚水タンク８の上に昇降可能に設置したので、切削作業時には吸引装置９の突出部の高さを削減することができ、実質的にコンクリートカッターの上下寸法を小さくでき、同時に長さも小さくすることができる。
【００２９】
この実施例において、ブレードカバー５の内外壁の間隔を下端部で小さくしたので粉塵による目詰まりを回避できるほか、外壁を着脱可能としたので、内部に入り込んだ粉塵の除去も容易である。
【産業上の利用可能性】
【００３０】
この発明は、切削用のブレードと吸引装置とに個別の駆動源を用意し、かつ汚水タンクと吸引装置とを上下に重ねつつも、フレームの長さや上下寸法の増大を可及的に小さくとどめ、実用性のある、汚水吸引装置付きの小型のコンクリートカッターを得ることができるものである。
【符号の説明】
【００３１】
１ フレーム
２ 給水タンク
３ エンジン
４ ブレード
５ ブレードケース
５ｃ 吸引室
５ｄ 外壁部材
６ 給水管
７ 定流量弁
８ 汚水タンク
９ 吸引装置
９ｄ 排出口
１０ 吸引管
１１ リンク機構
１２ 操作竿
１３ アダプター
１４ 吸引スリット
１５ パイプ受け室
１６、１７  穴
１８    ブラシ
【図１】
0006006751.tif 000002
【図２】
0006006751.tif 000003
【図３】
0006006751.tif 000004
【図４】
0006006751.tif 000005
【図５】
0006006751.tif 000006
【図６】
0006006751.tif 000007
【図７】
0006006751.tif 000008
【図８】
0006006751.tif 000009
【図９】
0006006751.tif 000010